(57)【要約】　　　（修正有）【課題】家具本体を上下方向に昇降するために、支柱カバーには剪断力を作用させることなく家具本体の高さを変更できるようにした、脚部に適用される昇降脚を提供する。【解決手段】昇降脚Ｘを、床上に接地させて配置されるベース本体１０を主体とする脚ベース１と、脚ベース１上に起立姿勢で配置される中空の支柱カバー３と、支柱カバー３の上下方向に延びる中空部３３内を上下動可能に上方から挿入され且つ家具本体Ａを下方から支持する支柱４とを具備するものとして、さらにベース本体１０に支柱カバー３の中空部３３内へ下方から挿入される芯材２を起立姿勢で固定して設け、中空部３３内において、支柱４を上下何れかの方向へ移動させることにより得られる複数の高さ位置から選択されたいずれか一つの高さ位置で芯材２に係合させて固定し得るように構成した。【選択図】図４
2004113542.tif 000002
【特許請求の範囲】
【請求項１】
家具本体を支持する脚部に適用され、家具本体を上下方向に昇降するものであって、
床上に接地させて配置されるベース本体を主体とする脚ベースと、該脚ベース上に起立姿勢で配置される中空の支柱カバーと、該支柱カバーの上下方向に延びる中空部内を上下動可能に上方から挿入され且つ家具本体を下方から支持する支柱とを具備し、ベース本体に、支柱カバーの中空部内へ下方から挿入される芯材を起立姿勢で固定して設け、前記支柱カバーの中空部内において、支柱を上下何れかの方向へ移動させることにより得られる複数の高さ位置から選択されたいずれか一つの高さ位置で該支柱を前記芯材に係合させて固定し得るように構成していることを特徴とする昇降脚。
【請求項２】
支柱に、高さ方向に沿って所定間隔をあけて複数の係合孔を形成し、支柱カバー及び芯材の同一高さ位置にそれぞれ貫通孔を形成するとともに、芯材に形成した貫通孔に対応させてナットを固定して設け、支柱カバーの外方からその貫通孔に挿入した固定ボルトを、支柱の何れかの係合孔及び芯材の貫通孔に挿入したうえでナットに締着することによって、該固定ボルトの軸部を前記係合孔にのみ係合させるようにしている請求項１記載の昇降脚。
【請求項３】
支柱カバーに形成した貫通孔の径を、前記固定ボルトの頭部よりも大きいものとしている請求項２記載の昇降脚。
【請求項４】
支柱が、長尺方向に沿って略等断面形状をなす中空部材であり、芯材が、長手方向に沿って支柱とは異なる略等断面形状をなし支柱の中空内部に挿入されるものであって、芯材における前記貫通孔を形成した部位に、前記ボルトとナットとの締着時に支柱の内面の一部に密接するスペーサを設けている請求項２又は３記載の昇降脚。
【請求項５】
支柱に、該支柱の外面と支柱カバーの中空部の内面との間の空隙に介在させるスライダを設けている請求項１、２、３又は４記載の昇降脚。
【請求項６】
前記スライダを支柱の下端部に配置するとともに、支柱カバーの上端部に、支柱のスライダと当接して該支柱の上方への移動を規制する上動規制部を形成している請求項５記載の昇降脚。
【請求項７】
ベース本体の上面に、上方へ向けて突出する突部を形成し、該突部に芯材を起立姿勢で配置するとともに、突部を支柱カバーの中空部に下方から挿入した状態で支柱カバーをベース本体に固定している請求項１、２、３、４、５又は６記載の昇降脚。
【請求項８】
一対の中空部を有する前記支柱カバーと、それら一対の中空部にそれぞれ挿入される一対の芯材を設けた脚ベース及び一対の支柱とから構成され、各中空部内においてそれぞれ対応する芯材と支柱とを係合させるように構成している請求項１、２、３、４、５、６又は７記載の昇降脚。
【請求項９】
一対の支柱の上端部を共に家具本体に固定し、それら支柱が同期して上下動作し得るように構成している請求項８記載の昇降脚。
【請求項１０】
支柱カバーが、アルミダイキャスト製品又は合成樹脂製品である請求項１、２、３、４、５、６、７、８又は９記載の昇降脚。
【発明の詳細な説明】
【０００１】
【発明の属する技術分野】
本発明は、デスクやテーブルの天板、椅子の座面等の高さ調整を行うための昇降脚に関するものである。
【０００２】
【従来の技術】
従来より、デスク、テーブル、椅子等の脚部を備えた家具において、天板や座面の高さ調整を行うために、脚部に昇降脚を設けた構成のものが種々知られている。このような昇降脚としては、例えば、脚部を下端部側に設けられる支柱カバーと上端部側に設けられ天板等を支持する支柱の２層構造として、支柱にその表面に突没可能な固定ピンを設ける一方、支柱カバーに上下方向へ間欠的に複数の挿通孔を形成し、支柱を支柱カバー内で上下動作させた場合に支柱の固定ピンが支柱カバーの何れかの挿通孔と合致した位置で突出してその挿通孔と係合することによって、脚部の実質的な高さ寸法を段階的に変更するようにしたものが挙げられる（特許文献１）。また、他の構成の昇降脚としては、前述のものと同様に、脚部を支柱カバー及び支柱から構成するとともに、支柱カバーと支柱との間にスペーサを設け、支柱を支柱カバーに対して適宜の相対高さ位置に位置付けるとともに、支柱カバーに対して側面から挿通した固定ねじの先端をスペーサに押圧した場合に当該スペーサが支柱の外壁に圧接することによって支柱がその高さ位置で固定されるようにして、脚部の実質的な高さ寸法を変更するようにしたものを挙げることができる（特許文献２）。
【０００３】
【特許文献１】特開平９−１００５０号公報（図１）
【特許文献２】特開２０００−８３７４３公報（図３）
【０００４】
【発明が解決しようとする課題】
ところが、このような構成からなる従来の昇降脚は、いずれも基本的には支柱カバーと支柱とをピン又はねじで固定する構成であるため、支柱カバーが支柱の荷重及び支柱に支持される天板や座部等の家具本体の荷重、ひいては天板上の載置物や座部に着座した使用者の荷重のを全て受けることになり、支柱カバーには極めて大きな剪断力が作用する。このため、支柱カバーとしてアルミダイキャスト製品や合成樹脂製品を適用した場合、強度が不足するおそれが多分に生じる。これに対して、支柱カバーの強度を簡易に増強するには、支柱カバーの厚さを増加する等の対策が考えられるが、安易にこのような構成を採用すると部材の重量化やコストの増加を招来することになってしまう。
【０００５】
そこで本発明は、以上のような問題に鑑みて、支柱カバーには剪断力を作用させることなく支柱の高さを変更できるようにした昇降脚の提供を主たる目的としている。
【０００６】
【課題を解決するための手段】
すなわち、本発明の昇降脚は、家具本体を支持する脚部に適用され、家具本体を上下方向に昇降するものであって、床上に接地させて配置されるベース本体を主体とする脚ベースと、該脚ベース上に起立姿勢で配置される中空の支柱カバーと、該支柱カバーの上下方向に延びる中空部内を上下動可能に上方から挿入され且つ家具本体を下方から支持する支柱とを具備し、ベース本体に、支柱カバーの中空部内へ下方から挿入される芯材を起立姿勢で固定して設け、前記支柱カバーの中空部内において、支柱を上下何れかの方向へ移動させることにより得られる複数の高さ位置から選択されたいずれか一つの高さ位置で該支柱を前記芯材に係合させて固定し得るように構成していることを特徴としている。
【０００７】
このような構成の昇降脚であれば、家具本体を支持する支柱は、何れかの高さ位置で支柱カバーにではなく芯材に固定されることになり、さらにその芯材はベース本体に直接支持されているため、支柱カバーには支柱及び家具本体等の荷重が一切作用しない。したがって、支柱カバーを薄肉な部材で構成したとしても、支持強度の不足が生じることがない。また、芯材は支柱カバーの中空部内に挿入されているために外部に露出することがないので、支柱カバーの素材や外観を従来のように支柱に対する支持強度の如何に影響されることなく、比較的自由に選択することができる。なお、このような昇降脚は、家具本体を天板若しくは天板受けとするデスクやテーブル、家具本体を座受けとする椅子など、種々の家具に適用して、それら家具本体の高さを好適に調整することができるものである。
【０００８】
この昇降脚を簡素な構成で実現し得る具体的な構成としては、支柱に、高さ方向に沿って所定間隔をあけて複数の係合孔を形成し、支柱カバー及び芯材の同一高さ位置にそれぞれ貫通孔を形成するとともに、芯材に形成した貫通孔に対応させてナットを固定して設けたものが挙げられ、支柱カバーの外方からその貫通孔に挿入した固定ボルトを、支柱の何れかの係合孔及び芯材の貫通孔に挿入したうえでナットに締着することによって、該固定ボルトの軸部を前記係合孔にのみ係合させるようにすることが望ましい。
【０００９】
この場合、特に支柱カバーには支柱及び家具本体の荷重を全く作用させることがないようにするには、支柱カバーに形成した貫通孔の径を、前記固定ボルトの頭部よりも大きいものとすればよい。
【００１０】
また、支柱が、長尺方向に沿って略等断面形状をなす中空部材であり、芯材が、長手方向に沿って支柱とは異なる略等断面形状をなし支柱の中空内部に挿入されるものである場合、支柱を芯材にボルト及びナットを用いて固定する際に、安定した固定状態を得るためには、芯材における前記貫通孔を形成した部位に、前記ボルトとナットとの締着時に支柱の内面の一部に密接するスペーサを設けることが好ましい。このようにすれば、ボルトのナットに対する緊締時に、スペーサが支柱の内面に押し付けられるので、支柱と芯材のいずれにもぐらつきを生じさせずにそれらを強固に固定することができるようになる。
【００１１】
さらに、支柱の支柱カバー内における安定した上下動作を実現するには、支柱に、該支柱の外面と支柱カバーの中空部の内面との間の空隙に介在させるスライダを設けることが好適である。この場合、前記スライダを支柱の下端部に配置するとともに、支柱カバーの上端部に、支柱のスライダと当接して該支柱の上方への移動を規制する上動規制部を形成することで、上方へ移動させた支柱が、スライダが上動規制部に当接する位置よりも上へは移動し得ないので、好適な抜け止めとすることができる。
【００１２】
また、支柱カバーの脚ベースに対する安定性を向上するためには、ベース本体の上面に、上方へ向けて突出する突部を形成し、該突部に芯材を起立姿勢で配置するとともに、突部を支柱カバーの中空部に下方から挿入した状態で支柱カバーを脚ベースに固定するとよい。
【００１３】
さらに、昇降脚全体の安定性を高め、支柱及び家具本体の安定した昇降動作を得るためには、この昇降脚を、一対の中空部を有する前記支柱カバーと、それら一対の中空部にそれぞれ挿入される一対の芯材を設けた脚ベース及び一対の支柱とから少なくとも構成し、各中空部内においてそれぞれ対応する芯材と支柱とを係合させるようにすることが望ましい。特に、一対の支柱の上端部を共に家具本体に固定し、それら支柱が同期して上下動作するように構成すれば、支柱に支持された家具本体をがたつきなくスムーズに上下に移動させることができる。
【００１４】
そして、以上のような昇降脚によれば、支柱カバーを、アルミダイキャスト製品又は合成樹脂製品として、最大限に肉厚が薄く軽量な支柱カバーを用いたとしても、支柱カバーには支柱及び家具本体の荷重を掛けず、強度に不安のない本発明の主目的を良好に達成することが可能となる。
【００１５】
【発明の実施の形態】
以下、本発明の一実施形態を、図面を参照して説明する。
【００１６】
図１、図２及び図３に示すこの実施形態は、デスクＤに適用され、家具本体たる天板Ａを昇降するための昇降脚Ｂである。天板Ａは、天板本体Ａ１と、昇降脚Ｂに支持されて天板本体Ａ１の側端部を支持する一対の天板受けＡ２と、これら天板受けＡ２同士を連結し天板本体Ａ１の奥行き方向中央部を幅方向に亘って支持する支持桿Ａ３とから構成されている。なお、天板本体Ａ１及び支持桿Ａ３は、図１〜図３においては想像線で示している。
【００１７】
昇降脚Ｂは主として、床面に接地される脚ベース１と、脚ベース１の上面１２ａに起立姿勢で配置される芯材２及び中空の支柱カバー３と、支柱カバー３の中空部２Ｓ内に上下動可能に配置され前記天板受けＡ２を下方から支持する支柱４とを備えている。そして、これら脚ベース１、芯材２、支柱カバー３、支柱４の各部が一体となって昇降脚Ｘを構成している。以下、この昇降脚Ｂにおける各部の構成について具体的に説明する。
【００１８】
脚ベース１は、図１〜図３に示すように、天板本体Ａ１の側端部の下方において奥行き方向へ延びる長尺なベース本体１０と、床面に接地するアジャスタ１Ｂとから構成されるものである。このベース本体１０は、図４、図５及び図６に示すように、例えばアルミダイキャストにより周壁１１及び上壁１２を一体に形成したものであり、裏面側を下方に開放させた空洞状にするとともに、その空洞内に縦横に設けた多数のリブ１３によって周壁１１及び上壁１２の補強を図っている。上壁１２は、その上面１２ａが長手方向中央部を境に両端部側が低くなるように緩やかに傾斜している。周壁１１はこの上壁の周縁を取り巻くように垂下させて形成したものである。そして、上壁１２の長手方向中央部に略水平な平面視長円状の凹部１４を形成し、この凹部１４の長手方向両端部に、上方へ向けて突出させた一対の突部１５を形成している。この突部１５は、平面視概略円形環状をなすものであり、その中央部に、前記芯材２を保持するための芯材保持孔１５ａを形成している。なお、芯材保持孔１５ａは、ベース本体１０の長手方向に長辺を設定した平面視概略長方形状をなしており、その２つの長辺は中央部で外側へ向けて部分円弧状に膨出した形状となっている。さらに、突部１５には、この芯材保持孔１５ａの長辺における部分円弧状の中央部を横断するように、芯材２を固定するためのタップ孔１５ｂを形成している。また、凹部１４の長手方向中央部とこれら突部１５との間には、やや突部１５寄りの位置に、支柱カバー３を固定するための幅方向に並べた２つの貫通孔１６を、上壁１２の肉厚を貫通させてそれぞれ形成している。これらの貫通孔１６は、ベース本体１０Ａの裏面側に前記リブ１３としても機能する下向き突起（図示省略）に連続し、ベース本体１０の裏面側にも開口している。そしてその裏面側における長手方向両端部に、接地部材であるアジャスタ１８を取り付けるためのタップ孔１７を形成しており、アジャスタ１８の上端部に設けたねじ部１８ａをこのタップ孔１７に下方から締着するようにしているが、アジャスタ１８の代わりに、同様のねじ部を有するキャスタを接地部材として取り付けることも可能である。
【００１９】
２つの芯材２は、図４、図６、図７及び図８に示すように、共に同一形状の部材であり、板金素材からなる板材を屈曲させて、平面視コ字形をなすように側壁２１、前壁２２、及び後壁２３を形成したものである。そして、芯材２は、側壁２１が前記ベース本体１０の凹部１４に形成した突部１５内の芯材保持孔１５ａの内側の長辺と対応し、前壁２２及び後壁２３が前後の短辺とそれぞれ対応するように、芯材保持孔１５ａに下端部が挿入される。下端部を凹部１４に挿入した状態で、突部１５に形成したタップ孔１５ｂと対応するように、側壁２１の下端部にタッピングボルトＴＢ１を挿通可能な貫通孔２４を形成している。また、側壁２１の上端からやや下方位置にも貫通孔２５を形成しているが、この貫通孔２５の前壁２２と後壁２３とが対向する側の面には、ナット２６を溶接により取り付けている。さらに、この側壁２１において、ナットを設けたのとは反対側の面に、板状のスペーサ２７を取り付けている。スペーサ２７は、表面を後述する支柱４の内面に当接するような部分円弧状に形成したものであり、高さ方向中央部に、前記貫通孔２５と連通する貫通孔２７ａを形成している。また、スペーサ２７の芯材の側壁２１と対面する裏面側における上端部には、後方及び下方へ屈曲させた鉤形のフック２７ｂを取り付けており、このフック２７ｂを側壁２１の上縁に引っ掛けるようにしている。さらに、前記２７ａの貫通孔２５の下方位置に後方へ突出する突起２７ｃを形成しており、フック２７ｂを側壁２１に引っ掛けた状態でこの突起を２７ｃを、側壁２１の貫通孔２５のやや下方位置に形成した小孔２８に挿入することによって、このスペーサ２７の安定化を図っている。なお、この芯材２の長手寸法は、例えば３８６．５ｍｍ程度としている。
【００２０】
支柱カバー３は、図１〜図８に示すように、ベース本体１０の凹部１４に挿入される中空の部材であって、平面視概略長円状をなす外壁３１と、外壁３１の長手方向両端部と共に断面視略円形をなし上下に亘って連続する中空部３３を形成する一対の内壁３２とから構成される。すなわち、外壁３１の両端部内側には、各内壁３２とによって中空部３３を包囲する円筒が形成されていることになる。本実施形態では、この支柱カバー３をアルミダイキャスト製品により構成しており、内壁２３同士の間に、これら内壁３２同士及び外壁３１により包囲され上下に亘って連続する空洞３４を形成することによって各部が略均一な肉厚を有するようにしている。なお、本実施形態における支柱カバー３の肉厚は、一例として約２ｍｍとしている。中空部３３の直径は、ベース本体１０の突部１５の外周と嵌合する大きさである。すなわち、支柱カバー３は、２つの中空部３３内にそれぞれ対応する芯材２を挿入し、且つそれら中空部３３に前記突部１５を挿入した起立姿勢で配置されることになる。また、両内壁３２の空洞３４側の面には、それぞれベース本体１０に形成した前後二つずつの貫通孔１６に連通するように、各内壁３２について二つずつの部分円弧状をなす連続溝３５を上下に亘って形成している。そして、支柱カバー３をベース本体１０の凹部１４内に起立させた姿勢で、ベース本体１０の裏面側における下向き突起から貫通孔１６にタッピングボルトＴＢ２を差し込み、更に連続溝３５に締着することによって、支柱カバー３をベース本体１０に固定している。また、外壁３１の内側の面には、芯材２の上端部に形成した貫通孔２５に対応する高さ位置に、両中空部３３に連通する貫通孔３７をそれぞれ形成している。この貫通孔３７は、固定ボルト５によって支柱４を芯材２に適宜の高さ位置で固定する際に、この固定ボルト５を通過させるためのものである。したがって、貫通孔３７の直径は、固定ボルト５の頭部５１の最大径よりも若干大きく設定してある。また、両内壁３２の各連続溝３５の間には、より小さな部分円弧状をなす小連続溝３６を上下に亘って形成しているが、この小連続溝３６は、上端部側において、次に説明する上スライダ３８及びカバー３９を固定するために利用する。
【００２１】
上スライダ３８は、中空部３３の内径に略等しい外径と、後述する支柱４の外径に略等しい内径とを有する概略円筒状の部材であって、上下に亘るスリット３８ｂを有するとともに、上端部に、前記内壁３２と外壁３１とによって形成される円筒形状に対応する大きさの鍔部３８ａを有している。このような上スライダ３８は、各中空部３３に上方から挿入され、落下しないように鍔部３８ａを支柱カバー３の上面に載置した状態で配置される。なお、この上スライダ３８は、本実施形態では支柱カバー３に対する支柱４の上下動作をスムーズなものとするため、合成樹脂の一体成形品としている。一方、カバー３９は、支柱カバー３の外壁３１の上面における外周と略同形状の薄肉な合成樹脂製品であり、中空部３３を前記上スライダ３８を通じて上方へ開放するように、前後一対の円孔３９ａを形成した眼鏡状の平面視形状を有している。これら円孔３９ａの内側には、支柱カバー３の小連続溝３６と連通するように、ビス３９ｃを挿通可能な貫通孔３９ｂをこのカバー３９の肉厚を貫通させて形成している。そして、支柱４を中空部３３内に挿入した後で、上スライダ３８を中空部３３に挿入し、さらにその上方からカバー３９を配置して前記貫通孔３９ｂに差し込んだビス３９ｃを支柱カバー３の小連続溝３６に締着することにより、これら上スライダ３８及びカバー３９を支柱カバー３に取り付ける。
【００２２】
支柱４は、図４〜図８に示すように、支柱カバー３の中空部３３の内径よりも小さく、且つ内部に芯材２を挿通可能な太さの金属製円パイプ材を主体とするものであり、２つの支柱４は何れも同一形状である。なお。支柱４の長手寸法は、本実施形態では例えば約５００ｍｍとしている。この支柱４の表面には、肉厚を貫通させた係合孔４１を上下方向に所定間隔で整列させて複数形成している。本実施形態では、係合孔４１の数を一例として５つとしており、その間隔を２５ｍｍとしているが、必ずしもこの限りである必要はなく、適宜変更することができる。また、支柱カバー３の下端部には、下スライダ４３を取り付ける際にビス４４を固定するための取付孔４２を形成している。下スライダ４３は、上スライダ３８と同様に支柱４の中空部３３内の上下動を安定したスムーズな動作とするためのものであり、本実施形態では合成樹脂製品を適用している。具体的にこの下スライダ４３は、支柱４の外径と略同一寸法の内径、及び中空部３３の内径と略同一寸法の外径を有する平面視Ｃリング状の部材であり、側面に形成した貫通孔４３ａに挿通したビス４４を前記取付孔４２に締着することによって、その下端を支柱４の下端と略一致させた位置で支柱４に固定される。また、支柱４の上端部には、天板受けＡ２を固定するための固定板４５を、中空の内部を上方から隠蔽するように溶接により取り付けている。固定板４５の中央部には、天板受けＡ２をタッピングボルトＴＢ３で固定支持するための取付孔４５ａを上下に向けて開口させている。
【００２３】
ここで、本実施形態を適用したデスクＤの天板Ａについて簡単に説明する。図１〜図３に示すように、天板本体Ａ１は、所定の厚みを有する矩形状の板材である。天板受けＡ２は、ベース本体１０の略真上において天板の奥行き方向に長手方向を合致させた、例えばアルミダイキャスト等により形成される長尺な部材であり、上面が天板本体Ａ１を載置し得るように平らになっている。そして、天板本体Ａ１を下方から支持して固定するためのボルト（図示省略）を挿通するための挿通孔Ａ２１を長手方向の複数箇所に形成している。また、天板受けＡ２は、支柱４にタッピングボルトＴＢ３により固定されるので、そのタッピングボルトＴＢ３を挿通するための挿通孔Ａ２２を、支柱４の固定板４５に形成した取付孔４５ａと対応する長手方向中央部に２つ形成している。このように、２本の丸パイプ状の支柱４を天板受けＡ２に固定することにより、中空部３３内での支柱４の水平回転が規制される。さらに、天板受けＡ２の内向面側には、内向きに略水平に突出させた角型の突起部Ａ２３を一体に設けており、左右の天板受けＡ２の突起部Ａ２３同士に角パイプ状の支持桿Ａ３の両端部を挿入することによって、この支持桿Ａ３で両天板受けＡ２を連結している。なお、支持桿Ａ３は、天板受けＡ２と共に天板本体Ａ１を下方から支持するものである。
【００２４】
以上に説明したデスクＤの昇降脚Ｂは、次のようにして機能し、天板Ａの高さを変更することができる。すなわち、この昇降脚Ｂでは、脚ベース１に固定した支柱カバー３の中空部３３内において、ベース本体１０に直接的に固定した芯材２に対し、支柱４を上下動作させる。そして、支柱４に形成した複数の係合孔４１のうち何れか一つの係合孔４１が芯材２の貫通孔２５、ナット２６、及びスペーサ２７の貫通孔２７ａと支柱カバー３の貫通孔３７に合致した高さ位置で、固定ボルト５を支柱カバー３の内面側からこれら貫通孔３７、貫通孔２７ａ、係合孔４１、貫通孔２５の順に挿入したうえでナット２６に止着する。このとき、固定ボルト５の頭部５１は、それよりも大径な支柱カバー３の貫通孔３７を通過し、さらに固定ボルト５の軸部５２における基端部５２ａが支柱４の係合孔４１の開口縁に載置される。また、固定ボルト５とナット２６の締着時に、芯材２が支柱４側へ引き寄せられることになるが、スペーサ２７の表面が支柱３の内面と当接するために、芯材２を傾斜させることなく強固な固定が実現される。その結果、固定ボルト５を介した支柱４及びそれに支持される天板Ａや天板Ａ上に載置した物体の荷重は、肉厚の薄い支柱カバー３には一切作用することなく、全て芯材２及びそれを介して脚ベース１に支持させることができる。このため、ベース本体１０及び芯材２を剛性の高いものとしておけば、外観上は従来の脚部と全く変わることなく支柱カバー３を可及的に薄肉なものとしても、天板Ａ等に対する支持強度に不足が生じることがない優れた昇降脚Ｂを提供することができる。
【００２５】
また、上述した天板Ａの高さ位置を変更する場合には、固定ボルト５を一旦抜き取り、図５に矢印で示すように、支柱４を上方又は下方の何れかにスライドさせて、他の係合孔４１が芯材２の貫通孔２５、ナット２６、及びスペーサ２７の貫通孔２７ａと支柱カバー３の貫通孔３７に合致した高さ位置で、固定ボルト５を支柱カバー３の内面側からこれら貫通孔３７、貫通孔２７ａ、係合孔４１、貫通孔２５の順に挿入したうえでナット２６に止着すればよい。そして、支柱４を上下動させる際には、支柱カバー３の中空部３３と支柱４との間に形成される空隙に配置した上スライダ３８及び下スライダ４３の存在により、安定したスムーズな支柱４のスライド動作が保証される。さらに、カバー３９を利用して支柱カバー３に固定した上スライダ３８と、支柱４に固定した下スライダ４３とは、略同一の大きさであるので、支柱４を上動し得る上限は、上スライダ３８の下端に下スライダ４３の上端が当接するまでの範囲に規制されることになる。すなわち、上スライダ３８は、支柱４の安定でスムーズな上下動作を確保する機能のみならず、カバー３９と協働して支柱４に対する上動規制部としても機能し、支柱４の好適な抜け止め作用を奏している。また、支柱カバー３の安定性も、ベース本体１０に形成した突部１５を中空部３３に挿入した姿勢で固定する構成であるため十分に確保されている。
【００２６】
なお、本発明は上述した実施形態に限られるものではない。例えば中空部の数や、それに対応する芯材及び支柱の本数、さらには脚部の数は適宜変更することができる。特に支柱カバーは、合成樹脂製等の素材を適宜に変更することも可能である。さらに、本発明を上述のようなデスクの脚部に適用するだけでなく、他の構成のデスクやテーブル、椅子等の各種の家具の脚部に適用しても、同様に有用なものである。その他、各部の具体的構成についても上記実施形態に限られるものではなく、本発明の趣旨を逸脱しない範囲で種々変形が可能である。
【００２７】
【発明の効果】
本発明は、以上に詳述したように、デスクや椅子等の脚部に適用されるものであり、天板や座部等の家具本体の高さを調節するために、脚ベースに支持された支柱カバーと、支柱カバーの中空部内を上下に動作し家具本体を支持する支柱の二重構造に加えて、脚ベースに支柱カバーとは別途に支持させた芯材を支柱カバーの中空部内に挿入した三重構造とし、所望の高さ位置に位置付けた支柱を、従来品のように支柱カバーにではなく、芯材に支持させる構成を採用している。このため、支柱及び家具本体並びにその積載物の荷重は、全て芯材及び脚ベースが受けることになり、支柱カバーには一切作用することがない。その結果、従来の昇降脚では、支柱カバーに過大な剪断力が働いて強度不足を招くことがあったが、本発明によりそれを全て解消することができるようになり、支柱カバーを例えばアルミダイキャストや合成樹脂等の肉厚の薄い素材で形成することができることや、このように支柱カバーの素材や外観を自由に選択することができるため、家具の軽量化を図るとともに、昇降脚の高強度化や安定化を実現することが可能である。
【図面の簡単な説明】
【図１】本発明の一実施形態を適用したデスクの概観を示す斜視図。
【図２】同デスクの正面図。
【図３】図２におけるｄ−ｄ線概略断面図。
【図４】同実施形態の分解斜視図。
【図５】同実施形態の組み立てた状態を示す斜視図。
【図６】図２におけるａ−ａ線断面図。
【図７】図３におけるｂ−ｂ線断面図。
【図８】図３におけるｃ−ｃ線断面図。
【符号の説明】
１…脚ベース
２…芯材
３…支柱カバー
４…支柱
５…固定ボルト
１０…ベース本体
１５…突部
２６…ナット
２７…スペーサ
３３…中空部
３７…貫通孔
４１…係合孔
５１…頭部
５２…軸部
Ａ…家具本体（天板）
Ｂ…昇降脚
【図１】
2004113542.tif 000003
【図２】
2004113542.tif 000004
【図３】
2004113542.tif 000005
【図４】
2004113542.tif 000006
【図５】
2004113542.tif 000007
【図６】
2004113542.tif 000008
【図７】
2004113542.tif 000009
【図８】
2004113542.tif 000010